(57)【要約】      （修正有）【課題】手摺棒の取り外し、取付けを容易にするためにベースから支持体を着脱可能にした手摺取付具を提供することを目的とする。【解決手段】ベース１の上端の斜面を、支持体２の上端の斜面を内包する保持部が覆い込むように形成され、下端においては逆にベース１の下端の斜面を内包する保持部が支持体２の下端の斜面を覆い込むように形成されており、各々の斜面において面接触が可能となるように設定されており、ベース１と支持体２は緩むことなく嵌合する。【選択図】図１
2004251084.tif 000002
【特許請求の範囲】
【請求項１】
廊下や階段の側壁に取付けられるベースと、該ベースに嵌合する支持体と支持体の上方には手摺棒を受けるための手摺受け部が設けられてなる手摺取付具において、
ベースの上端には、側壁方向に斜面を形成し、下端においては反側壁方向で前記上端と相対する方向に突出した保持部内に斜面が形成され、支持体においては、上端に側壁方向に突出した保持部内に斜面が形成され、下端には反側壁方向に斜面を形成し、嵌合時において、ベース上端の斜面を支持体上端の保持部が上方向から覆い込むように配され、該支持体下端の斜面は、前記ベース下端の保持部によって下方向から覆い込まれるように配され、ベースと支持体の各斜面が面と面で接触するよう設定され、各斜面間において面接触の面積を拡大することにより、ベースと支持体の嵌合時における緩みを減少し、ベースから支持体を容易に着脱することを可能にしたことを特徴とする手摺取付具。
【発明の詳細な説明】
【０００１】
【発明の属する技術分野】
本発明は、廊下や階段の側壁に取付ける手摺の手摺取付具に関する。
【０００２】
【従来技術とその問題点】
従来、手摺は壁等の躯体に直接ねじ等で手摺取付具を介して固定していた。そのため、リホーム時や家財等の搬入時や車椅子の走行時において手摺棒が邪魔になり、該手摺取付具を取り外さねばならないことが間々あり煩雑であった。さらに、一度手摺取付具を外した後、壁紙等を張ってしまうと躯体の位置を再度確認しなければ手摺取付具の取付が困難である等の問題があった。また、着脱式のものにおいては、部品点数が多く、その加工方法も複雑であった（特許公開平１０−２６６５１１号公報）。
【０００３】
【発明が解決しようとする課題】
上述したように、手摺棒の取り外し、取付けを容易にするためにベースから支持体を着脱可能にした手摺取付具を提供することを目的とする。
【０００４】
【課題を解決するための手段】
以上の課題を解決するため、本発明に係る手摺取付具はベースの上端には、側壁方向に斜面を形成し、下端においては反側壁方向で前記上端と相対する方向に突出した保持部内に斜面が形成され、支持体においては、上端に側壁方向に突出した保持部内に斜面が形成され、下端には反側壁方向に斜面を形成し、嵌合時において、ベース上端の斜面を支持体上端の保持部が上方向から覆い込むように配され、該支持体下端の斜面は、前記ベース下端の保持部によって下方向から覆い込まれるように配され、ベースと支持体の各斜面が面と面で接触するよう設定され、各斜面間において面接触の面積を拡大することにより、ベースと支持体の嵌合時における緩みを減少し、ベースから支持体を容易に着脱することを可能にした。
【００５】
【発明の実施の形態】
以下、図面によって本発明に係る手摺取付具の実施形態を説明する。
【００６】
図１は本発明の実施形態の手摺取付具で、支持体２をベース１に挿入嵌合した状態を示す斜視図である。
【００７】
図２は本発明の実施形態の手摺取付具で、支持体２をベース１から取り外した状態を示す斜視図である。
【００８】
図３は、本発明のベース１の斜視図であり、１１は上端の斜面、１２は下端に突出して設けられた保持部１３内に形成された斜面である。
【００９】
ベース１は、その平坦部に設けられたねじ穴１４を介して側壁５の躯体等にねじで固定される。
【００１０】
図４は、本発明の支持体２の斜視図であり、２１は上端に側壁５方向に突出して設けられた保持部２３内に形成された斜面、２２は下端の斜面である。
【００１１】
さらに、支持体２の上方には手摺棒４を受けるための手摺受け部３が設けられ、手摺受け部３には手摺棒４を固定するためのねじ穴３１が設定されている。
【００１２】
図５は、ベース１と支持体２の嵌合前の部分断面図であって、ベース１の上端の斜面１１は、支持体２の上端の斜面２１に対応するがごとくに形成され、同様にベース１の下端の斜面１２は、支持体２の下端の斜面２２に対応するがごとくに形成されている。
【００１３】
各端部の斜面１１・１２・２１・２２の角度は全て同一角度で設定すれば支持体２の着脱時の作業性がより容易に行えるが、斜面１１と斜面２１が同一角度であり、斜面１２と斜面２２が同一角度であって、各斜面において面接触が可能であれば特に角度を指定する必要もない。
【００１４】
図６は、ベース１と支持体２の嵌合時の部分断面図であって、ベース１の上端の斜面１１を、支持体２の上端の斜面２１を内包する保持部２３が覆い込むように形成され、下端においては逆にベース１の下端の斜面１２を内包する保持部１３が支持体２の下端の斜面２２を覆い込むように形成されており、各々の斜面において面接触が可能となるように設定されており、ベース１と支持体２は緩むことなく嵌合する。
【００１５】
さらに、ベース１の保持部１３の端面と支持体２の保持部２３の端面は嵌合時において、ベース１と支持体２の略中央で当接するように設けられているので、嵌合時において手摺棒４に荷重が掛かっても動くことはない。
【００１６】
したがって、手摺棒４に水平方向の荷重が加わってもベース１の上端の斜面１１と支持体２の上端の斜面２１が、ベース１の下端の斜面１２と支持体２の下端の斜面２２が夫々面で接触して荷重を受けるために、ベース１から支持体２が容易に離脱することはない。
【００１７】
また、手摺棒４に垂直荷重が掛かった場合においても、ベース１の上端の斜面１１を覆い込むように支持体２の上端の斜面２１が保持部２３と共に設けられ、支持体２の下端の斜面２２を覆い込むようにベース１の下端の斜面１２が保持部１３と共に設けられて、手摺棒４に加わる垂直荷重を受け止める構造となっている。
【００１８】
本発明の実施例においてはベース１の形状が略円形であり、各斜面１１・１２・２１・２２は略半円形に設定されているが、連続する斜面が設定でき、面接触が維持できるならば特に形状にはこだわらない。
【００１９】
なお、ベース１と支持体２の嵌合をより完全にするために、ベース１と支持体２の間をねじで固定すれば、不測の事態においてもベース１から支持体２が離脱することもない。
【００２０】
本発明の実施例によれば、ベース１を側壁５の躯体に固定したまま、手摺棒４を支持体２と共に脱着できるため、ベース１を側壁５から外す必要も無く、手摺棒４を側壁５とは反対方向の斜め上方に引き上げることにより、容易に手摺棒４をし自体２と共に外すことができるため、施工性が簡便である。
【００２１】
図７は、手摺棒４を取付けて側壁５に施工した状態を示す平面図である。
【００２２】
図８は、ベース１から施工した手摺棒４を支持体２と共に外した状態を示す平面図である。
【００２３】
図９は、本発明の実施例のベース１を手摺棒４の終端部に使用する他の支持体２Ａを用いた場合の実施例を説明する斜視図である。
【００２４】
【発明の効果】
本発明によると、ベースの上端には、側壁方向に斜面を形成し、下端においては反側壁方向で前記上端と相対する方向に突出した保持部内に斜面が形成され、支持体においては、上端に側壁方向に突出した保持部内に斜面が形成され、下端には反側壁方向に斜面を形成し、嵌合時において、ベース上端の斜面を支持体上端の保持部が上方向から覆い込むように配され、該支持体下端の斜面は、前記ベース下端の保持部によって下方向から覆い込まれるように配され、ベースと支持体の各斜面が面と面で接触するよう設定され、各斜面間において面接触の面積を拡大することにより、ベースと支持体の嵌合時における緩みを減少し、ベースから支持体を容易に着脱することを可能にしたため、部品点数も少なく、施工性も良くなるのでランニングコストも下がり市場性の高い製品を供給できる。
【図面の簡単な説明】
【図１】本発明の手摺取付具を示す斜視図
【図２】本発明の手摺取付具で支持体をベースから外した斜視図
【図３】本発明のベースを示す斜視図
【図４】本発明の支持体を示す斜視図
【図５】本発明のベースと支持体の嵌合前の部分断面図
【図６】本発明のベースと支持体の嵌合時の部分断面図
【図７】本発明の手摺棒を取付けて壁面に施工した状態を示す平面図
【図８】
本発明のベースから施工した手摺棒を外した状態を示す平面図
【図９】
本発明の他の実施例を説明する斜視図
【符号の説明】
１      ベース
２      支持体
３      手摺受け部
４      手摺棒
５      壁面
１１，１２，２１，２２    斜面
１３，２３      保持部
１４，３１      ねじ穴
【図１】
2004251084.tif 000003
【図２】
2004251084.tif 000004
【図３】
2004251084.tif 000005
【図４】
2004251084.tif 000006
【図５】
2004251084.tif 000007
【図６】
2004251084.tif 000008
【図７】
2004251084.tif 000009
【図８】
2004251084.tif 000010
【図９】
2004251084.tif 000011